(57)【要約】【課題】従来の生け花容器は、生け花の本数によって花瓶の口径を変える必要があり、口径の 広い花瓶に少ない本数の花を生ける場合、思う位置に生けることが難しく、また、従来の花瓶は、陶磁器ないしガラス製で作られているものが多く、地震や子供が触れて落下させると割れて怪我をすると言った危険性があった。【解決手段】一枚のシトー状からなる円錐状の茎把持器を、中空洞の台形状の四角錐の形状をした連結器上部内側に装着し、連結器下部側面に紙コップの上部開口部が差し込み固定できるよう差し込み口を設け、該差し込み口に紙コップを取り付ける構造にした。【選択図】図５
2016054943.tif 000002
【特許請求の範囲】
【請求項１】
連結器上部内側に茎把持器を装着させ、紙コップの開口部に連結器を係止し、該連結器の上部内側に花を固定するための茎把持器を装着したことを特徴とする生け花用連結装置。
【請求項２】
前記茎把持器は、耐水加工を施した一枚のシート状からなり、２か所に止め部を設けた円形で構成され、前記円形の中心点から、放射線状に円形が切り離れない程度の切り込み線数本と、１線のみ半円部分を切り離し、該切り離し線の両端部に接合部を設け、放射線状に配した該切り込み線上に、茎が把持できるよう１個以上の丸穴部を配し、該接合部が重なるように接合させ、円錐状の構造にしたことを特徴とする請求項１に記載する生け花用連結装置。
【請求項３】
前記連結器は、耐水加工を施した軟性な材質で、１枚の板状からなり、片端に糊代部を設け、組み立てると中空洞の台形状の四角錐の形状をなし、開口部の広い面を上部に、開口部の狭い面を下部にして、該連結器上部側面に、前記茎把持器の止め部が差し込み固定できるよう差し込み口を設け、また、該連結器下部側面には紙コップ上部が差し込み固定できるよう、切り込み止め部を配し、前記台形状の四角錐の稜線を折りたたみ線として使用することを特徴とする請求項１ないし２に記載する生け花用連結装置。
【請求項４】
口径の異なる紙コップに対応できるよう、該切り込み止め部を前記連結器の側面下部に垂直方向に１個以上配したことを特徴とする請求項１ないし２ないし３に記載する生け花用連結装置。
【発明の詳細な説明】
【技術分野】
【０００１】
本発明は、市販のあらゆるサイズの紙コップに装着でき、落としても割れず、切り花を生ける際、切り花の本数に関係なく、思った位置に生けることができる生け花用連結装置に関するものである。
【背景技術】
【０００２】
切り花を花瓶に生ける場合、一般的に陶器製ないしガラス製の容器を用いる場合が多く、落下すれば割れる恐れがあり、特に子供のいる家庭では危険性が高く、また、生け花の本数が少ないと思う位置に固定できず、剣山やスポンジに固定するか、生け花の本数に合った花瓶に生ける方法が一般的であった。
【先行技術文献】
【特許文献】
【０００３】
【特許文献１】特開２０００−３０９０４
【特許文献２】特開２００６−８７４１３
【特許文献３】特開２００５−２７０５９６
【発明の概要】
【発明が解決しようとする課題】
【０００４】
従来の生け花容器は、生け花の本数によって花瓶の口径を変える必要があり、口径の広い花瓶に少ない本数の花を生ける場合、思う位置に生けることが難しく、また、従来の花瓶は、陶磁器ないしガラス製で作られているものが多く、地震や子供が触れて落下させると割れて怪我をすると言った危険性と、紙コップは通常、１回の使用で廃棄することが慣例化されてお、資源保護の観点から見て無駄であった。
【課題を解決するための手段】
【０００５】
次に、上記課題を解決するために、その手段を説明する。
【０００６】
本発明の請求項１は、連結器上部内側に茎把持器を装着させ、紙コップの開口部に連結器を係止し、該連結器の上部内側に花を固定するための茎把持器を装着したことを特徴とする生け花用連結装置。
【０００７】
本発明の請求項２の前記茎把持器は、耐水加工を施した一枚のシート状からなり、２か所に止め部を設けた円形で構成され、前記円形の中心点から、放射線状に円形が切り離れない程度の切り込み線数本と、１線のみ半円部分を切り離し、該切り離し線の両端部に接合部を設け、放射線状に配した該切り込み線上に、茎が把持できるよう１個以上の丸穴部を配し、該接合部が重なるように接合させ、円錐状の構造にしたことを特徴とする請求項１に記載する生け花用連    結装置。
【０００８】
本発明の請求項３の前記連結器は、耐水加工を施した軟性な材質で、１枚の板状からなり、片端に糊代部を設け、組み立てると中空洞の台形状の四角錐の形状をなし、開口部の広い面を上部に、開口部の狭い面を下部にして、該連結器上部側面に、前記茎把持器の止め部が差し込み固定できるよう差し込み口を設け、また、該連結器下部側面には紙コップ上部が差し込み固定できるよう、切り込み止め部を配し、前記台形状の四角錐の稜線を折りたたみ線として使用することを特徴とする請求項１ないし２に記載する生け花用連結装置    。
【０００９】
本発明の請求項４は、口径の異なる紙コップに対応できるよう、該切り込み止め部を前記連結器の側面下部に垂直方向に１個以上配したことを特徴とする請求項１ないし２ないし３に記載する生け花用連結装置。
【発明の効果】
【００１０】
本発明は以上述べたように構成されているので、以下に記載されるような効果を奏す。
【００１１】
茎把持器が装着されているため、花の本数に関係なく思いの位置に生けることができる    。
【００１２】
花瓶の代わりに紙コップを使用することで、落としても割れることが無く、安全である。
【００１３】
紙コップのサイズは大小あるが、連結器に切り込んだ切り込み止め部を上下に２つないし４つ設けることで、あらゆるサイズの紙コップに対応できる。
【００１４】
連結器と茎把持器は、茎把持器の止め部で接続されているだけなので、取り外すことが簡単にでき、水洗いが容易である。
【００１５】
連結器は折りたたむことができるため、輸送面、収納面での効率が高い。
【００１６】
花瓶の代わりに紙コップを使用することで、破損面だけでなく、一般家庭にある紙コップ若しくは、使用済みの紙コップが再利用できるため資源保護、環境面に優しい。
【００１７】
茎把持器、連結器が簡単構造であるため、安価で提供できる。
【図面の簡単な説明】
【００１８】
【図１】茎把持器の平面図である。
【図２】茎把持器の組み立て斜視図である。
【図３】連結器の平面図である。
【図４】連結器の組み立て斜視図である。
【図５】茎把持器を連結器に装着した生け花用連結装置の斜視図である。
【図６】紙コップに生け花用連結装置を載置した斜視図である。
【図７】生け花用連結装置を使用し、花を生けた状態の斜視図である。
【発明を実施するための形態】
【００１９】
次は、この発明の実施の形態について説明する。
【００２０】
図１の茎把持器の構成を説明する。耐水加工を施した１枚のシート状からなり、２か所に止め部a1,a2を設けた円形の茎把持器１に、前記茎把持器の中心点Bから、放射線状に円形が切り離れない程度の切り込み線b1,b2,b3数本と、１線のみ半円部分のみを切り離し、該切り離し線Aの両端部に接合部c1,c2を設け、放射線状に配した切り込み線上b1,b2b3に、茎が把  持できるよう丸穴部dを配し、接合部c1,c2が重なるように接合させて円錐状の構造にする茎把持器の平面図である。
【００２１】
図２は、接合部c1,c2を接合させ、円錐状に組み立てられた茎把持器の斜視図である。
【００２２】
図３の連結器の構成を説明する。耐水加工を施した軟性な材質で、１枚の板状からなり、片端に糊代部Cと、折りたたみ線e1,e2,e3,e4を配し、連結器２上部に茎把持器１の止め部a1,a2が差し込み固定できるよう、差し込み口f1,f2,f3,f4と、連結器下部に紙コップの上部が差し込み固定できるよう、差し込み口g1,g2,g3,g4,g5,g6,g7,g8を設け、中空洞の台形状の四  角錐の形状に組み 立てる構造とする、連結器の平面図である。
【００２３】
図４は、糊代部Cで接合させ、台形状の四角錐の形状に組み立てた連結器の斜視図である。
【００２４】
図５は、連結器に茎把持器を装着した生け花用連結装置の斜視図である。
【００２５】
図６は、生け花用連結装置を紙コップに載置した斜視図である。
【００２６】
図７は、生け花用連結装置を使用し、花を生けた状態の斜視図。
【符号の説明】
【００２７】
１            茎把持器
２            連結器
３            生け花用連結装置
４            紙コップ
５            花
a1            止め部
a2            止め部
A            切り離し線
B            中心点
C            糊代部
b1            切り込み線
b2            切り込み線
b3            切り込み線
c1            接合部
c2            接合部
d              丸穴部
e1            折りたたみ線（台形状の四角錐の稜線）
e2            折りたたみ線（台形状の四角錐の稜線）
e3            折りたたみ線（台形状の四角錐の稜線）
e4            折りたたみ線（台形状の四角錐の稜線）
f1            差し込み口
f2            差し込み口
f3            差し込み口
f4            差し込み口
g1            差し込み口
g2            差し込み口
g3            差し込み口
g4            差し込み口
g5            差し込み口
g6            差し込み口
g7            差し込み口
g8            差し込み口
【図１】
2016054943.tif 000003
【図２】
2016054943.tif 000004
【図３】
2016054943.tif 000005
【図４】
2016054943.tif 000006
【図５】
2016054943.tif 000007
【図６】
2016054943.tif 000008
【図７】
2016054943.tif 000009